(57)【要約】【課題】  明度不足になることなく、露出時間を短くし、また、被写体の動きに応じて適切な撮影を行う。【解決手段】  画像取得部１０は、シャッタキーが押下されると、通常より短縮した露出時間（シャッタ速度）で撮影する。撮影した画像は、イメージバッファ２６に記録される。デジタル信号処理部２８は、イメージバッファ２６の撮影画像データに対して、ＲＡＭ３５のテーブルからそのときの露出時間に応じた明度補正値を読み出し、該明度補正値に従って明度を補正する。画像圧縮／伸張処理部２９は、撮影画像データに符号化／変換／圧縮処理を行い、該画像処理した画像データを画像メモリ３１に記録する。【選択図】  図１
2006186796.tif 000002
【特許請求の範囲】
【請求項１】
撮像手段と、
この撮像手段の露出時間とこの撮像手段によって撮像された画像の明度を補正するための補正値とを対応付けて記憶する補正値記憶手段と、
前記露出時間を設定する設定手段と、
この設定手段によって設定された露出時間で前記撮像手段を駆動する第１の撮像制御手段と、
前記設定手段によって設定された露出時間に基づいて、前記補正値記憶手段より対応する補正値を読出し、前記撮像手段によって撮像された画像の明度を補正する補正手段と
を備えたことを特徴とする撮像装置。
【請求項２】
前記撮像手段に対し連続的に画像を撮像して出力するよう制御する第２の撮像制御手段と、
この第２の撮像制御手段により連続的に出力される画像に基づいて被写体の動きを検知する動き検知手段とをさらに備え、
前記設定手段は、この動き検知手段により検知された前記被写体の動きの変化度に基づいて露出時間を設定することを特徴とする請求項１記載の撮影装置。
【請求項３】
前記動きの変化度は、前記撮像手段によって連続的に出力される画像の明度変化に基づいて取得されることを特徴とする請求項２記載の撮影装置。
【請求項４】
前記露出時間を設定する設定ステップと、
この設定ステップにて設定された露出時間で撮像部を駆動する第１の撮像制御ステップと、
前記設定ステップにて設定された露出時間に基づいて、予め前記撮像部の露出時間とこの撮像部によって撮像された画像の明度を補正するための補正値とを対応付けて記憶したメモリより対応する補正値を読出し、前記撮像ステップにて撮像された画像の明度を補正する補正ステップと
からなることを特徴とする撮影方法。
【請求項５】
前記撮像部に対し連続的に画像を撮像して出力するよう制御する第２の撮像制御ステップと、
この第２の撮像制御ステップにて連続的に出力される画像に基づいて被写体の動きを検知する動き検知ステップとをさらに含み、
前記設定ステップは、この動き検知ステップにて検知された前記被写体の動きの変化度に基づいて露出時間を設定することを特徴とする請求項４記載の撮影方法。
【請求項６】
コンピュータに、
画像を出力する撮像部の露出時間を設定する設定ステップと、
この設定ステップにて設定された露出時間で前記撮像部を駆動する第１の撮像制御ステップと、
この第１の撮像制御ステップにて駆動制御された結果得られた画像について、予め前記撮像部の露出時間とこの撮像部によって撮像された画像の明度を補正するための補正値とを対応付けて記憶したメモリより、前記設定ステップにて設定された露出時間に対応する補正値を読出して明度を補正する補正ステップと
を実行させることを特徴とする撮影プログラム。
【請求項７】
前記撮像部に対し連続的に画像を撮像して出力するよう制御する第２の撮像制御ステップと、
この第２の撮像制御ステップにて連続的に出力される画像に基づいて被写体の動きを検知する動き検知ステップとをさらに含み、
前記設定ステップは、この動き検知ステップにて検知された前記被写体の動きの変化度に基づいて露出時間を設定することを特徴とする請求項６記載の撮影プログラム。
【発明の詳細な説明】
【技術分野】
【０００１】
本発明は、撮影装置、撮影方法および撮影プログラムに関する。
【背景技術】
【０００２】
従来より、デジタルカメラ等の撮影装置では、最適な状態で被写体を撮影するために、被写体の明度を測光し、露出時間（シャッタ速度）や絞りを自動調整している。従来のデジタルカメラでは、分割露光の分割数を、画質優先モードと、スピード優先モードとで変える技術が提案されている（例えば特許文献１参照）。
【特許文献１】特開２００３−３１９２５２号公報
【発明の開示】
【発明が解決しようとする課題】
【０００３】
しかしながら、上記従来技術は、スピード優先モードで撮影した場合には、露出時間が短くなるため、撮影された画像が明度不足になり、画質優先モードで撮影する場合には、露光時間が長くなり、動きの激しい被写体の撮影に向かいないという問題があった。
【０００４】
そこで本発明は、明度不足になることなく、露出時間を短くすることができ、また、被写体の動きに応じて適切な露出時間で撮影を行うことができる撮影装置、撮影方法および撮影プログラムを提供することを目的とする。
【課題を解決するための手段】
【０００５】
上記目的達成のため、請求項１記載の発明による撮影装置は、撮像手段と、この撮像手段の露出時間とこの撮像手段によって撮像された画像の明度を補正するための補正値とを対応付けて記憶する補正値記憶手段と、前記露出時間を設定する設定手段と、この設定手段によって設定された露出時間で前記撮像手段を駆動する第１の撮像制御手段と、前記設定手段によって設定された露出時間に基づいて、前記補正値記憶手段より対応する補正値を読出し、前記撮像手段によって撮像された画像の明度を補正する補正手段とを備えたことを特徴とする。
【０００６】
また、好ましい態様として、例えば請求項２記載のように、請求項１記載の撮影装置において、前記撮像手段に対し連続的に画像を撮像して出力するよう制御する第２の撮像制御手段と、この第２の撮像制御手段により連続的に出力される画像に基づいて被写体の動きを検知する動き検知手段とをさらに備え、前記設定手段は、この動き検知手段により検知された前記被写体の動きの変化度に基づいて露出時間を設定するようにしてもよい。
【０００７】
また、好ましい態様として、例えば請求項３記載のように、請求項２記載の撮影装置において、前記動きの変化度は、前記撮像手段によって連続的に出力される画像の明度変化に基づいて取得されるようにしてもよい。
【０００８】
また、上記目的達成のため、請求項４記載の発明による撮影方法は、前記露出時間を設定する設定ステップと、この設定ステップにて設定された露出時間で撮像部を駆動する第１の撮像制御ステップと、前記設定ステップにて設定された露出時間に基づいて、予め前記撮像部の露出時間とこの撮像部によって撮像された画像の明度を補正するための補正値とを対応付けて記憶したメモリより対応する補正値を読出し、前記撮像ステップにて撮像された画像の明度を補正する補正ステップとからなることを特徴とする。
【０００９】
また、好ましい態様として、例えば請求項５記載のように、請求項４記載の撮影方法において、前記撮像部に対し連続的に画像を撮像して出力するよう制御する第２の撮像制御ステップと、この第２の撮像制御ステップにて連続的に出力される画像に基づいて被写体の動きを検知する動き検知ステップとをさらに含み、前記設定ステップは、この動き検知ステップにて検知された前記被写体の動きの変化度に基づいて露出時間を設定するようにしてもよい。
【００１０】
また、上記目的達成のため、請求項６記載の発明による撮影プログラムは、コンピュータに、画像を出力する撮像部の露出時間を設定する設定ステップと、この設定ステップにて設定された露出時間で前記撮像部を駆動する第１の撮像制御ステップと、この第１の撮像制御ステップにて駆動制御された結果得られた画像について、予め前記撮像部の露出時間とこの撮像部によって撮像された画像の明度を補正するための補正値とを対応付けて記憶したメモリより、前記設定ステップにて設定された露出時間に対応する補正値を読出して明度を補正する補正ステップとを実行させることを特徴とする。
【００１１】
また、好ましい態様として、例えば請求項７記載のように、請求項６記載の撮影プログラムにおいて、前記撮像部に対し連続的に画像を撮像して出力するよう制御する第２の撮像制御ステップと、この第２の撮像制御ステップにて連続的に出力される画像に基づいて被写体の動きを検知する動き検知ステップとをさらに含み、前記設定ステップは、この動き検知ステップにて検知された前記被写体の動きの変化度に基づいて露出時間を設定するようにしてもよい。
【発明の効果】
【００１２】
請求項１記載の発明によれば、撮像手段の露出時間と撮像手段によって撮像された画像の明度を補正するための補正値とを対応付けて補正値記憶手段に記憶しておき、第１の撮像制御手段により、設定手段によって設定された露出時間で前記撮像手段を駆動し、補正手段により、前記設定手段によって設定された露出時間に基づいて、前記補正値記憶手段より対応する補正値を読出し、前記撮像手段によって撮像された画像の明度を補正するようにしたので、明度不足になることなく、露出時間を短くすることができるという利点が得られる。
【００１３】
また、請求項２記載の発明によれば、第２の撮像制御手段により、前記撮像手段に対し連続的に画像を撮像して出力するよう制御し、動き検知手段により、この第２の撮像制御手段により連続的に出力される画像に基づいて被写体の動きを検知し、前記設定手段により、前記被写体の動きの変化度に基づいて露出時間を設定するようにしたので、複雑な演算を行うことなく、明度不足になることなく、露出時間を短くすることができるという利点が得られる。
【００１４】
また、請求項３記載の発明によれば、前記動きの変化度を、前記撮像手段による画像の明度変化に基づいて取得するようにしたので、被写体の動きに応じて適切な露出時間で撮影を行うことができるという利点が得られる。
【００１５】
また、請求項４記載の発明によれば、設定ステップで前記露出時間を設定し、第１の撮像制御ステップで設定された露出時間で撮像部を駆動し、補正ステップで、前記設定ステップにて設定された露出時間に基づいて、予め前記撮像部の露出時間とこの撮像部によって撮像された画像の明度を補正するための補正値とを対応付けて記憶したメモリより対応する補正値を読出し、前記撮像ステップにて撮像された画像の明度を補正するようにしたので、明度不足になることなく、露出時間を短くすることができるという利点が得られる。
【００１６】
また、請求項５記載の発明によれば、第２の撮像制御ステップで、前記撮像部に対し連続的に画像を撮像して出力するよう制御し、動き検知ステップで、第２の撮像制御ステップにて連続的に出力される画像に基づいて被写体の動きを検知し、前記設定ステップで、この動き検知ステップにて検知された前記被写体の動きの変化度に基づいて露出時間を設定するようにしたので、被写体の動きに応じて適切な露出時間で撮影を行うことができるという利点が得られる。
【００１７】
また、請求項６記載によれば、コンピュータに、画像を出力する撮像部の露出時間を設定する設定ステップと、この設定ステップにて設定された露出時間で前記撮像部を駆動する第１の撮像制御ステップと、この第１の撮像制御ステップにて駆動制御された結果得られた画像について、予め前記撮像部の露出時間とこの撮像部によって撮像された画像の明度を補正するための補正値とを対応付けて記憶したメモリより、前記設定ステップにて設定された露出時間に対応する補正値を読出して明度を補正する補正ステップとを実行させるようにしたので、明度不足になることなく、露出時間を短くすることができるという利点が得られる。
【００１８】
また、請求項７記載の発明によれば、前記撮像部に対し連続的に画像を撮像して出力するよう制御する第２の撮像制御ステップと、この第２の撮像制御ステップにて連続的に出力される画像に基づいて被写体の動きを検知する動き検知ステップとをさらに含み、前記設定ステップで、この動き検知ステップにて検知された前記被写体の動きの変化度に基づいて露出時間を設定するようにしたので、被写体の動きに応じて適切な露出時間で撮影を行うことができるという利点が得られる。
【発明を実施するための最良の形態】
【００１９】
以下、本発明の実施の形態を、デジタルカメラに適用した一実施例として、図面を参照して説明する。
【００２０】
Ａ．第１実施形態
Ａ−１．第１実施形態の構成
図１は、本第１実施形態によるデジタルカメラの構成を示すブロック図である。画像取得部１０は、レンズ１１、シャッタ１２、ＬＰＦ１３からなる。レンズ１１は、通常の光学レンズであり、非球面レンズを重ねたレンズ群からなる。シャッタ１２は、シャッタボタン（図示略）が操作されると、制御部２０によって駆動されるドライバ１４により動作する、所謂メカニカルシャッタである。なお、デジタルカメラによっては、メカニカルシャッタを備えない場合もあり、沈胴式のレンズ構造、メカニカルズームを搭載する機種の場合、これらの駆動制御もドライバ１４で行う。ＬＰＦ１３は、水晶ローパスフィルタであり、モアレの発生を防ぐために搭載されている。
【００２１】
次に、アナログ信号処理部１５は、撮像センサ（ＣＣＤ，ＣＭＯＳ）１６、サンプリング／信号増幅処理部１７、Ａ／Ｄコンバータ１８からなる。撮像センサ１６は、被写体画像（イメージ）を結像し、ＲＧＢの各色の光の強さを、電流値に変換する。サンプリング／信号増幅処理部１７は、ノイズや色むらを抑えるための相関二重サンプリング処理や信号増幅処理を行う。Ａ／Ｄコンバータ１８は、アナログフロントエンドとも呼ばれ、サンプリング・増幅したアナログ信号をデジタル信号に変換する（ＲＧＢ，ＣＭＹＧ各色について１２ｂｉｔデータに変換してバスラインに出力する）。
【００２２】
次に、制御部（ＣＰＵ）２０は、後述するプログラムメモリ格納されるプログラムに基づいてデジタルカメラ（撮像装置）の全体を制御する。プレビューエンジン２２は、録画モード（記録モード、撮影モードともいう）において、画像取得部１０、アナログ信号処理部１５を介して入力されたデジタルデータ、もしくはシャッタ操作検出直後、イメージバッファ２６に格納されたデジタルデータ、および、画像メモリ３１に格納されたデジタルデータを表示部２５に表示させるために間引き処理を行う。
【００２３】
Ｄ／Ａコンバータ２３は、プレビューエンジン２２により間引き処理されたデジタルデータを変換し、後段のドライバ２４に出力する。ドライバ２４は、後段の表示部２５に表示されるデジタルデータを一時記憶するバッファ領域を備え、キー操作部２７、制御部２０を介して入力された制御信号に基づいて表示部２５を駆動させる。表示部２５は、カラーＴＦＴ液晶や、ＳＴＮ液晶などからなり、プレビュー画像や、撮影後の画像データ、設定メニューなどを表示する。
【００２４】
イメージバッファ２６は、アナログ信号処理部１５、もしくはデジタル信号処理部２８を介して入力され、デジタル信号処理部２８に渡すまで一時的に撮影直後のデジタルデータを格納する。キー操作部２７は、シャッタボタンを含め、記録／再生モードの切り換えキー、十字キー、メニューキー等からなる。デジタル信号処理部２８は、アナログ信号処理部１５を介して入力されたデジタルデータ（非圧縮のＲＡＷイメージデータ）に対して、ホワイトバランス処理、色処理、階調処理、輸郭強調を行う。
【００２５】
また、デジタル信号処理部２８は、画像取得部１０およびアナログ信号処理部１５により取り込んだ画像データに対して、明度補正処理を行う。本第１実施形態では、前述したように、通常の露光時間より短い露光時間で撮影するので、撮影直後の画像では、明度不足になっている。そこで、デジタル信号処理部２８は、撮影後、イメージバッファ２６に一旦取り込んだ画像データに対して、露光時間の短縮により不足した明度を補正するようになっている。
【００２６】
画像圧縮／伸張処理部２９は、デジタル信号処理部２８を介して入力されたデジタルデータ（非圧縮のＲＡＷイメージデータ）をＪＰＥＧ方式に圧縮符号化したり、再生モードにおいては、ＪＰＥＧ形式のファイルを伸張する。プログラムメモリ３０は、制御部２０にロードされる各種プログラムや、ベストショット機能におけるＥＶ値、色補正情報などを格納する。画像メモリ３１は、各種ファイル形式に変換されたデジタルデータを格納する。
【００２７】
カードＩ／Ｆ３２は、外部記録媒体３３と撮像装置本体との間のデータ交換を制御する。外部記録媒体３３は、コンパクトフラッシュ（登録商標）、メモリースティック、ＳＤカード等からなる。外部接続用Ｉ／Ｆ３４は、ＵＳＢコネクター用スロットなどからなり、パーソナルコンピュータなどと接続され、撮影した画像データの転送などに用いられる。
【００２８】
ＲＡＭ３５は、制御部２０の動作に伴う各種データを格納する。また、ＲＡＭ３５は、図２に示すように、前述したデジタル信号処理部２８による明度補正時に必要とされる、露光時間に対する明度補正値を格納している。図２では、ＲＡＭ３５は、露光時間Ｐが通常撮影時の露光時間に対する露光時間Ｐの百分率に対して、明度補正値Ｂｉ（ｉ＝０〜１００）を格納している。例えば、露光時間Ｐが１００％であれば、通常撮影時と同じ露光時間であるので、この場合の明度補正値Ｂ１００は、「０」となる。そして、露光時間Ｐが短くなるにつれて、明度補正値Ｂｉ（ｉ＝０〜１００）は、大きな値をとることになる。
【００２９】
ここで、図３は、総光量と出力が一定比例する場合における、露出時間と明度との関係を示す概念図である。すなわち、露出時間が長時間になるほど、取り込む光量が増加するので、画像の明度も増加する。ある撮影条件において、通常の露出時間がＰＮであった場合、本第１実施形態では、露出時間ＰＮより短い露出時間Ｐで撮影することなる。この場合、明度も通常より低下するので、撮影直後に、その低下分だけ、明度を増加させるように補正すればよい。図２に示すように、露光時間Ｐとこれに対する明度補正値Ｂｉとをテーブル化しておくことにより、複雑な演算を施すことなく、容易に明度を補正することが可能となっている。
【００３０】
Ａ−２．第１実施形態の動作
次に、上述した第１実施形態の動作について説明する。
図４および図５は、本第１実施形態によるデジタルカメラの撮影時の動作を説明するためのフローチャートである。撮影モードが選択されると、まず、撮像モジュール（画像取得部１０、アナログ信号処理部１５）、測光部を起動し（ステップＳ１０）、測光を行う（ステップＳ１２）。次に、露光時間短縮モードであるか否かを判断し（ステップＳ１４）、露光時間短縮モードになっていない場合には、シャッタ速度（通常）、絞りを自動調整する（ステップＳ１６）。一方、露光時間短縮モードになっている場合には、シャッタ速度を短縮し、絞りを自動調整する（ステップＳ１８）。
【００３１】
次に、撮像モジュールにより撮影されている映像をリアルタイムで表示部２５にスルー表示する（ステップＳ２０）。次に、シャッタキーが押下（半押し）されたか否かを判断し（ステップＳ２２）、シャッタキーが押下（半押し）されない場合には、ステップＳ１４へ戻り、リアルタイムで、露光時間、絞りの自動調整を行いつつ、スルー画像の表示を継続する。
【００３２】
そして、シャッタキーが押下（半押し）されると、ＡＦ動作を行い（ステップＳ２４）、合焦したか否かを判断する（ステップＳ２６）。合焦が完了していない場合には、ステップＳ２４でＡＦ動作を継続する。そして、合焦すると、ＡＦ固定し（ステップＳ２８）、シャッタキーが押下（全押し）されたか否かを判断し（ステップＳ３０）、シャッタキーが押下（全押し）されない場合には、シャッタキーが解除されたか否かを判断し（ステップＳ３２）、解除されてない場合には、ステップＳ３０へ戻り、全押しされるまで、その状態を維持する。一方、シャッタキーが解除された場合には、ステップＳ１２へ戻り、再び、スルー表示以降の処理を継続する。
【００３３】
一方、シャッタキーが押下（全押し）されると、測光部のデータに従って、その時点の露出、シャッタ速度を固定するとともに、フラッシュ発光等を自動制御して撮影する（ステップＳ３４）。次に、撮影した画像をイメージバッファ２６に記録する（ステップＳ３６）。次に、イメージバッファ２６の撮影画像データに対して、ＲＡＭ３５のテーブルからそのときの露出時間Ｐに応じた明度補正値Ｂｉを読み出し、該明度補正値Ｂｉに従って明度を補正し、補正した画像を表示部２５に表示する（ステップＳ３８）。なお、通常撮影の場合には、明度補正を行っても、明度は撮影時のままである。一方、露出時間を短縮して撮影した場合には、撮影時の露出時間Ｐに応じて、撮影画像データの明度が補正されることになる。次に、撮影画像データに符号化／変換／圧縮処理を行い（ステップＳ４０）、該画像処理した画像データを画像メモリ３１に記録する（ステップＳ４２）。そして、前述したステップＳ１２以降のスルー表示へ戻る。
【００３４】
上述した第１実施形態によれば、露出時間を短くして撮影しても撮影直後に明度を補正するようにしたので、明度を低下させることなく、撮影時間を短縮することが可能となる。これにより、結果的に動きの速い被写体を容易に撮影することが可能となり、また、手ぶれによる撮影画像のピンボケを低減することが可能となる。また、プレビューや、２次元バーコード読み取りの動作時など、画質よりも速度を重視した撮影時における画像処理時間を短縮することが可能となる。
【００３５】
なお、上述した第１実施形態では、オープンループ的に画像を補正する例であったが、実際のデジタルカメラでは、ホワイトバランスや明るさ追従機能を用いるようにしてもよい。すなわち、露光時間を短縮することによる明度低下を、ホワイトバランスや明るさ追従機能を用いることにより、補正処理による演算を行うことなく、補正するようにしてもよい。
【００３６】
Ｂ．第２実施形態
次に、本発明の第２実施形態について説明する。
Ｂ−１．第２実施形態の構成
図６は、本第２実施形態によるデジタルカメラの構成を示すブロック図である。なお、図１に対応する部分には同一の符号を付けて説明を省略する。図において、動き検知部３７は、アナログ信号処理部１５から取り込んだ画像から被写体の動きおよび動きの激しさを検知する。被写体の動き、また動きの激しさは、例えば、特定画素の明度変化率を監視すればよい。１画素だけでは、誤検知の発生が危惧されるので、複数の画素を監視する。
【００３７】
また、ＲＡＭ３５は、図７に示すように、上記動き検知部３７で検知された、被写体の明度変化率に対する露光時間Ｐを格納している。図７では、明度変化率Ｙが０〜１００％の範囲で変化した場合における、露光時間Ｐ０〜Ｐ１００を格納している。例えば、明度変化率Ｙが０％であれば（動きがない）、露光時間Ｐ０（＝通常撮影時と同じ露光時間ＰＮ）となる。そして、明度変化率Ｙが大きくなるにつれて、露光時間Ｐｊ（ｊ＝０〜１００）は、小さな値をとることになる。ｎ画素の明度変化率Ｙは、Ｙ＝Σ（ＡＢＳ（Ｐ１（ｋ）−Ｐ２（ｋ）））／ｎで算出することができる。ここで、Ｐ１（ｋ）は、直近の明度であり、Ｐ２（ｋ）は、現時点の明度である。画像に動きがない場合には、上記明度変化率Ｙは０に近い値になり、動きが激しくなると、大きな値となる。
【００３８】
ここで、図８は、明度変化率（＝動きの激しさ）と露光時間との関係を示す概念図である。すなわち、明度変化率が大きくなるほど、通常の露出時間ＰＮより短い露出時間Ｐで撮影することなる。これは、動きの速い被写体を撮影する場合、露光時間を短くすることで、撮影画像でのぶれを防止し、結果的に良好な画像を得るためである。図７に示すように、明度変化率Ｙとこれに対する露光時間Ｐとをテーブル化しておくことにより、複雑な演算を施すことなく、被写体の動きの程度に応じて、容易に露光時間Ｐを設定することが可能となっている。
【００３９】
Ｂ−２．第２実施形態の動作
次に、上述した第２実施形態の動作について説明する。
図９および図１０は、本第２実施形態によるデジタルカメラの撮影時の動作を説明するためのフローチャートである。撮影モードが選択されると、まず、撮像モジュール（画像取得部１０、アナログ信号処理部１５）、測光部を起動し（ステップＳ５０）、測光を行う（ステップＳ５２）。次に、動き検知部３７により、被写体の動き、すなわち明度変化率を検知する（ステップＳ５４）。次に、明度変化率に応じて、ＲＡＭ３５のテーブルから露出時間Ｐｊを読み出し、該露出時間Ｐｊに従って、シャッタ速度、絞りを自動調整する（ステップＳ５６）。
【００４０】
次に、撮像モジュールにより撮影されている映像をリアルタイムで表示部２５にスルー表示する（ステップＳ５８）。次に、シャッタキーが押下（半押し）されたか否かを判断し（ステップＳ６０）、シャッタキーが押下（半押し）されない場合には、ステップＳ５４へ戻り、リアルタイムで、被写体の動き（明度変化率）に応じて、シャッタ速度、絞りの自動調整を行いつつ、スルー画像の表示を継続する。
【００４１】
そして、シャッタキーが押下（半押し）されると、ＡＦ動作を行い（ステップＳ６２）、合焦したか否かを判断する（ステップＳ６４）。合焦が完了していない場合には、ステップＳ６２でＡＦ動作を継続する。そして、合焦すると、ＡＦ固定し（ステップＳ６８）、シャッタキーが押下（全押し）されたか否かを判断し（ステップＳ７０）、シャッタキーが押下（全押し）されない場合には、シャッタキーが解除されたか否かを判断し（ステップＳ７２）、解除されてない場合には、ステップＳ７０へ戻り、全押しされるまで、その状態を維持する。一方、シャッタキーが解除された場合には、ステップＳ５２へ戻り、再び、スルー表示以降の処理を継続する。
【００４２】
一方、シャッタキーが押下（全押し）されると、測光部のデータに従って、その時点の露出、シャッタ速度を固定するとともに、フラッシュ発光等を自動制御して撮影する（ステップＳ７４）。次に、撮影した画像をイメージバッファ２６に記録し（ステップＳ７６）、イメージバッファ２６の撮影画像データに対して、符号化／変換／圧縮処理を行い（ステップＳ７８）、該画像処理した画像データを画像メモリ３１に記録する（ステップＳ８０）。そして、前述したステップＳ５２以降のスルー表示へ戻る。
【００４３】
上述した第２実施形態によれば、画像の動きの激しさに応じて、露出時間を短くして撮影するようにしたので、動きの激しい被写体を、ぶれを抑えて撮影することが可能になる。これにより、結果的に動きの速い被写体を容易に撮影することが可能となり、また、手ぶれによる撮影画像のピンボケを低減することが可能となる。
【００４４】
なお、上述した第２実施形態では、画像の明度変化を元に撮影時間（露出時間）の減少率を決めていたが、仮にＭＰＥＧエンコードチップ等を搭載している場合には、画像の動きベクトル自体を得ることが可能であるので、そのパラメータに基づいて撮影時間（露出時間）の減少率を決めてもよい。
【図面の簡単な説明】
【００４５】
【図１】本発明の第１実施形態によるデジタルカメラの構成を示すブロック図である。
【図２】本第１実施形態によるデジタルカメラのＲＡＭ３５のデータ構成（露光時間：明度補正値）を示す概念図である。
【図３】本第１実施形態によるデジタルカメラにおける露出時間と明度との関係を示す概念図である。
【図４】本第１実施形態によるデジタルカメラの撮影時の動作を説明するためのフローチャートである。
【図５】本第１実施形態によるデジタルカメラの撮影時の動作を説明するためのフローチャートである。
【図６】本発明の第２実施形態によるデジタルカメラの構成を示すブロック図である。
【図７】本第１実施形態によるデジタルカメラのＲＡＭ３５のデータ構成（被写体の明度変化率：露光時間）を示す概念図である。
【図８】本第１実施形態によるデジタルカメラにおける明度変化率（＝動きの激しさ）と露光時間との関係を示す概念図である。
【図９】本第２実施形態によるデジタルカメラの撮影時の動作を説明するためのフローチャートである。
【図１０】本第２実施形態によるデジタルカメラの撮影時の動作を説明するためのフローチャートである。
【符号の説明】
【００４６】
１０  画像取得部（撮像手段、撮像部）
１１  レンズ
１２  シャッタ
１３  ＬＰＦ
１４  ドライバ
１５  アナログ信号処理部
１６  撮像センサ
１７  サンプリング／信号増幅処理部
１８  Ａ／Ｄコンバータ
２０  制御部（第１の撮像制御手段、第２の撮像制御手段、設定手段）
２２  プレビューエンジン
２３  Ｄ／Ａコンバータ
２４  ドライバ
２５  表示部（表示手段、表示部）
２６  イメージバッファ
２７  キー操作部
２８  デジタル信号処理部（補正手段）
２９  画像圧縮／伸張処理部
３０  プログラムメモリ
３１  画像メモリ
３２  カードＩ／Ｆ
３３  外部記録媒体
３４  外部接続Ｉ／Ｆ
３５  ＲＡＭ（補正値記憶手段）
３７  動き検知部（動き検知手段）
【図１】
2006186796.tif 000003
【図２】
2006186796.tif 000004
【図３】
2006186796.tif 000005
【図４】
2006186796.tif 000006
【図５】
2006186796.tif 000007
【図６】
2006186796.tif 000008
【図７】
2006186796.tif 000009
【図８】
2006186796.tif 000010
【図９】
2006186796.tif 000011
【図１０】
2006186796.tif 000012